(57)【要約】      （修正有）【課題】賭けをし賞金を現金で集めることが可能である銀行取引を実行するための電子システム及び方法を提供する。【解決手段】中央処理装置２と、ユーザーが通信チャンネル４を介して前記中央処理装置に接続される銀行取引を実行できる複数の電子端末装置３とを包含する、電子銀行取引用通信ネットワークを介して銀行取引を実行する方法である。この方法は、銀行操作の実行中にランダム化処理手順を起動する独特なコードを生成するステップを包含する。【選択図】図１
2004259257.tif 000002
【特許請求の範囲】
【請求項１】
中央処理装置と、ユーザーが通信チャンネルを介して前記中央処理装置に接続される銀行取引を実行できる複数の電子端末装置とを包含する、電子銀行取引用通信ネットワークを介して銀行取引を実行するための電子システムにおいて、
電子システムが、前記中央処理装置に接続された賭け処理装置を包含しており、この賭け処理装置には、独特なコードの置換処理手順、ランダム化生成処理手順及び賭けプログラムが記憶されていて、前記端末装置のうちの１つで銀行操作を行なったユーザーが前記端末装置を介して金銭の賭けを行なうことができ、
この賭けの勝ちが、前記賭けをするとユーザーが決定した時点からスタートを形成する独特なコードで起動される前記ランダム化処理手順により与えられた賭けプログラムによって決定される
ことを特徴とする電子システム。
【請求項２】
前記独特なコードが、ユーザーに関するデータ及び銀行操作に関するデータを包含する、請求項１記載のシステム。
【請求項３】
ユーザーに関する前記データが、ユーザーのコード名及び銀行取引番号を包含する、請求項１記載のシステム。
【請求項４】
銀行操作に関する前記データが、銀行操作の時間、銀行操作の日付、操作の種類、スタート又は操作の他のステップからの経過時間、賭けをする決定をした時点、及びユーザーにより必要な場合に入力されるコードを包含する、請求項１記載のシステム。
【請求項５】
前記賭け処理装置が、銀行ネットワークの各端末装置（３）で行なわれた賭けをすべて記憶するためのデータベースがある記憶装置（５１）を包含する、請求項１記載のシステム。
【請求項６】
中央処理装置と、ユーザーが通信チャンネルを介して前記中央処理装置に接続される銀行取引を実行できる複数の電子端末装置とを包含する、電子銀行取引用通信ネットワークを介して銀行取引を実行する方法において、
前記端末装置のうちの１つから銀行操作を実行するユーザーの指示を受け、
この銀行操作を実行し、
前記ユーザーが金銭の賭けをすると決定した時点から独特なコードを生成して、賭けプログラムを与えるランダム化処理手順を起動し、なされた賭けに関する印刷出力を前記端末装置での銀行操作の終りに提供する、
ステップを包含することを特徴とする方法。
【請求項７】
前記独特なコードを生成するステップが、ユーザーに関するデータ及び銀行操作に関すデータを検知することを包含する、請求項６記載の方法。
【発明の詳細な説明】
【技術分野】
【０００１】
本発明は、銀行取引を実行するための電子システム及び方法に関する。
【０００２】
特に、本発明は、賭けをし賞金を現金で集めることが可能である銀行取引を実行するための電子システム及び方法に関連する。
【背景技術】
【０００３】
ヨーロッパ特許ＥＰ ００１４３１３は、中央処理装置と、ユーザーが通信チャンネルを介して前記中央処理装置に接続される銀行取引を実行できる複数の電子端末装置とを包含する、銀行取引を実行するための電子システムを記載している。このユーザーは適切な磁気カード（支払カード）を支給され、このカードは前記端末装置の適切な磁気カードスキャナーに挿入できる。ユーザーは、暗号（ＰＩＮ）の入力を経て、またシステムによる前記カードの承認を経て、ユーザーの当座預金を通して銀行取引（引き出し、支払い、送金等）を行なうことができるメニューにアクセスする。
【０００４】
このような中央処理装置は、各ユーザーによって電子的に行なわれた銀行操作が記憶されるデータベースを備えている。
【０００５】
国際特許出願ＷＯ ９２２５２０９は、端末装置、例えば現金支払機を介して電子的に行なわれた銀行取引の終わりに金銭を賭けるためのシステムについて記載している。金銭の賭けはユーザーによって起動され、勝ちの決定は、所定の時期に所定の端末装置へ勝ちの可能性を割り当てる中央処理装置で発生される偽似ランダムプロセスに基づいて得られる。
【０００６】
出願人は、ユーザーが取引を行なう時点に先立って所定の時期に前記中央処理装置によって、勝ちを決定する方法が生み出されることに気が付いた。このようなシステムは、本来は偽似ランダムプロセスによって決定されるのであるが、本質的には決定性処理手順であり、従って、特権のある観察者によって、取引又は銀行操作の起動時間から勝ちの権利が生じ得る端末装置及び時期を知り又は予知することが可能である。
【０００７】
さらに、端末装置で行なわれた銀行取引を管理する中央処理装置が、勝ちの端末装置及び時期を決定するものと同じ装置であるため、システムはいたずらを受ける。さらに、集められる賞金の現金での支払いは予知されない。
【発明の開示】
【発明が解決しようとする課題】
【０００８】
出願人は、電子銀行取引操作のための端末装置を介する銀行取引と提携した賭けシステムをより安全でより信頼できるようにする問題に取り組んだ。
【０００９】
出願人は、賭けをし賞金を現金で集めることが可能であり、勝ち（あるいは否）を決定するランダム化処理手順又はアルゴリズムが、銀行操作の完了前にユーザーが賭けをする決定をした時期と同時点で独特なコードからのスタートを起動するようにした、銀行取引を実行する電子的方法のための装置及び方法を実現した。システムは、ユーザーのデータ（例えば、操作の日付及び時間、ユーザーの取引番号及び磁気カード番号、端末装置の番号、スタート又は操作の他のステップからの経過時間、ユーザーが賭けをする決定をした時点、ユーザーにより必要な場合に入れられるコード等）を取得して、どんな方法でも予知できず且つ別の賭けのコードと混同し得ない賭けの独特なコードを生成し、そして、すべてのデータがユーザーでコントロールすることができないので、ユーザーでさえ、ごまかしてもあるいは道具を使用してさえも、生成される独特なコードを決定することはできない。このコードからスタートして、ランダム化処理手順が生成される。
【００１０】
さらに、本発明のシステムは、賭けを管理するために排他的に予定され、どんな場合でも接続され得る銀行取引を管理する中央処理装置に対して異なる場所に位置されている特定の演算処理装置によって処理される。従って、この方法で、賭け操作の安全性及び完全性を相互に保証すると共に、賭けを管理する人から銀行操作を管理する人を物理的に分離することが可能である。
【００１１】
この方法で、本発明によると、銀行操作の実行によって表わされる決定性処理手順は、銀行操作の遂行中及びその前には分からない不確定な結果を備え且つどんな場合でも金銭の賭けをする決定のような決定からスタートする銀行操作によって表されるランダム又は非決定性処理手順と組み合わせることができる。
【課題を解決するための手段】
【００１２】
本発明の様相は、中央処理装置と、ユーザーが通信チャンネルを介して前記中央処理装置に接続される銀行取引を実行できる複数の電子端末装置とを包含する、電子銀行取引用通信ネットワークを介して銀行取引を実行するための電子システムにおいて、
電子システムが、前記中央処理装置に接続された賭け処理装置を包含しており、この賭け処理装置には、独特なコードの置換処理手順、ランダム化生成処理手順及び賭けプログラムが記憶されていて、前記端末装置のうちの１つで銀行操作を行なったユーザーが前記端末装置を介して金銭の賭けを行なうことができ、
この賭けの勝ちが、前記賭けをするとユーザーが決定した時点からスタートを形成する独特なコードで起動される前記ランダム化処理手順により与えられた賭けプログラムによって決定される
ことを特徴とする電子システムに関係する。
【００１３】
これは、賭け管理者により設定されて勝ちの確率の本質的な特性及び総額を定義する賭け計画の範囲内で行なわれる。
【００１４】
本発明の他の様相は、中央処理装置と、ユーザーが通信チャンネルを介して前記中央処理装置に接続される銀行取引を実行できる複数の電子端末装置とを包含する、電子銀行取引用通信ネットワークを介して銀行取引を実行する方法において、
前記端末装置のうちの１つから銀行操作を実行するユーザーの指示を受け、
この銀行操作を実行し、
前記ユーザーが金銭の賭けをすると決定した時点から独特なコードを生成して、賭けプログラムを与えるランダム化処理手順を起動し、なされた賭けに関する印刷出力を前記端末装置での銀行操作の終りに提供する、
ステップを包含することを特徴とする方法に関係する。
【発明を実施するための最良の形態】
【００１５】
本発明による装置及び方法の特徴及び利点は、非限定的な例として添付図面を参照して行なう下記説明から明らかとなるであろう。
【００１６】
図において、電子銀行取引用通信ネットワークは、中央処理装置２と、ユーザーが通信チャンネル４を介して前記中央処理装置に接続される銀行取引を実行できる複数の電子端末装置３とを包含する。
【００１７】
この電子端末装置は、例えば固定ラインにより、あるいは無線で、銀行取引用の前記通信ネットワークに直接的あるいは間接的に接続される端末装置である。
間接的接続によるには、接続は、前記通信ネットワークとの少なくとも１つのインターフェースを介して行なわれることを意味する。直接的接続の端末装置の例は、現金支払機、デビットカード又はクレジットカードによる支払いのためのＰＯＳ端末装置、あるいは国際電子銀行取引を行なうための端末装置である。
【００１８】
間的接続の例は、例えばテレフォンカードによって起動される固定電話又は携帯電話である。
【００１９】
前記端末装置は、好適には、磁気カードスキャナー３１、数字又は英数字のキーパッド３２、複数のボタン３３、現金支払スロット３４及びディスプレイ３５を備えている。
【００２０】
ユーザーは適切な磁気カード（支払カード）を支給され、このカードは端末装置の前記磁気カードスキャナーに挿入できる。ユーザーは、暗号（ＰＩＮ）の入力を経て、またシステムによる前記カードの承認を経て、ユーザーの当座預金を通して銀行取引（引き出し、支払い、送金、国際的な回路における取引等）を行なうことができるメニューにアクセスし、このメニューは前記ディスプレイに視覚化され、前記キーパッドへの入力及び前記ボタンの操作により使用することができる。
【００２１】
この中央処理装置２は、各ユーザーによって電子的に行なわれた銀行操作及びユーザーに関する操作データが記憶されるデータベース２１を備えている。
【００２２】
本発明によれば、システムは、中央処理装置２に接続され適切な記憶装置５１を備えた賭け処理装置５を包含しており、この記憶装置には、前記端末装置３のうちの１つで銀行操作を行なったユーザーがこの操作の完了前に前記端末装置を介して金銭の賭けを行なうことができる賭けプログラムが記憶されている。
【００２３】
例えば運のゲームのような賭けは、ユーザーにより自分の当座預金を通して行なわれる銀行操作の最終段階において、例えばユーザーに割り当てられた毎月の最大総額で実行することができるので、賭けに利用可能なお金は、ユーザーの当座預金から直接得ることができる。
【００２４】
このような賭け処理装置５は、有益的には、銀行ネットワークの各端末装置３で行なわれた賭けを記憶すのためのデータベースを備えている。
【００２５】
図２は、電子銀行操作に従って、どのように、本発明によるシステムの端末装置に挿入されたユーザーのデータからスタートする独特な賭けコードを生成することが可能かを示している。
【００２６】
特に、図２の例では、前記賭処理装置５に関連した賭けアルゴリズムは、端末装置から、ユーザーに関する或るデータ及びユーザーの行なっている銀行操作に関する或るデータからスタートする独特な賭けコードを受け取る。詳細には、銀行操作に関するデータは、銀行操作が行なわれた時間６１、銀行操作が行なわれた日付６２、操作の種類６３及び操作の可能な現金総額６４を包含する。ユーザーに関するデータは、ユーザーのコード名６５及び取引番号６６を包含する。
【００２７】
部分的に独特なコード６７は、前記データの好適にはディジタルのフォーマットからスタートを形成する所定長さのディジタルストリングである。部分的に独特なコードはランダム化発振器６８で利用され、この発振器の出力は賭け処理手順６９で利用され、この賭け処理手順は、総額と、ユーザーによって、また賭け管理者で割り当てられた確率及び対応する総額のスタート設定によって選択された賭けの種類との賭け基準に従って、ユーザーの勝ち（あるいは否）を決定する。
【００２８】
本発明によると、例えばスタートからの経過時間又は銀行取引及び賭けをする決定の他のステップからの経過時間であったり、あるいはユーザーによって必要な場合に入れられるコード７０は、ユーザーが銀行操作の実行の終わりに賭けをしたいと決定した場合にのみ生成されるような部分的に独特なコード６７に統合される。
【００２９】
このようなコードは、例えば、スタート又は銀行操作の他のステップから賭けの受理までにかかった接続時間、あるいは賭けの受理の時点でユーザーにより入力された前記データを包含する。
【００３０】
このような方法で、再生できず且つその上予知することもできない独特なコードが生成され、そして、すべてのデータはユーザーによってコントロールすることができないので、ユーザー自身でさえ、生成される独特なコードをごまかして決定することはできない。
【００３１】
図３において、フローチャートは、システムの端末装置から行なわれる銀行操作及び銀行操作の完了前に継続される本発明による賭けを図式的に示す。フローチャートは、電子銀行操作のための機械でユーザーによって、磁気カードスキャナー３１の適切な開口部への磁気カードの挿入操作７１から行なわれる操作を示す。このカードは、代りとして、スマートカードとすることができる。第１のテスト７２は、有効であるかを確認するための磁気カードの最初のチェックに関係する。否定の場合では、カードは前記開口部に通して取り出されるのに対して、肯定の場合では、その後の入場７３で、ユーザーは暗号（ＰＩＮ）を入力するように要求される。第２のテスト７４は、暗号の有効性をチェックし、そして、これが確認された場合には、通常の銀行操作７５が実行される。
【００３２】
本発明によると、銀行操作の終了前に、システムは、ユーザーに賭けをしたいかどうかユーザーに尋ねる。図３における第３のテスト７６は、このステップを示す。返答が否定の場合、カードはユーザーに返却され、そして、銀行操作が引き出し操作であった場合には、可能な現金及び対応する受取が渡される。この場合には、操作は完結したものと見做されるのに対し、肯定の返答の場合には、ユーザーにより必要な場合に入れられるデータの更なる可能な取得及び又は賭けの総額をもって、賭けアルゴリズム７７は、模写できない前記独特なコードからのスタートを起動し、それを形成するデータのブロック置換、及びこのような置換された独特なコード（図２において６７″で示す）に基づくその後のランダム化処理手順は、賭けの結果を決定するために実行される。さらに、このような部分的に独特なコード６７は、最終の独特なコード６７′を生成するためにそれに付加される前記データ７０を有しており、一度置換されたコード６７″はランダム化処理手順６８で利用される。どんな場合も、借方操作７７′は賭け総額に対応してユーザーの当座預金で実行される。
【００３３】
賭けテスト７８は、勝ちの賭け又は負けの賭けが行なわれたかどうかを検知し、なされた賭けに関する印刷出力が作成され、そして、これを完了するために、磁気カードが返却され、また銀行操作が引き出し操作であった場合には、可能な現金及び対応する受取が渡される（ステップ８１及び８１′）。賭けが勝った場合には、集金操作７９は、ユーザーが支払いの種類、例えば当座預金への振り込み又は現金支払い又はこれら２つの組合わせを選択できるようにする。
【００３４】
本発明による賭けシステムは賭け処理装置によって処理されるものであり、この賭け処理装置は、賭けを管理するために排他的に予定され、好適には、どんな場合でも接続され得る銀行取引を管理する中央処理装置に対して異なる場所に位置されている。
【００３５】
この賭け処理装置５はこの記憶装置５１の内部に、所定期間の間に行なわれた賭けに関するすべての情報を有益的に含んでいる賭けのデータベースを包含する。
【００３６】
さらに、このデータベースには、賭けのための最大総額及び所定期間に各ユーザーで行ない得る賭けの最大数のようなパラメータが定義できる。
【００３７】
実際上、このようなデータベースには、各ユーザーの情報及び賭け関する情報が記憶されている一種の「賭け口座」が、定義されている。
【図面の簡単な説明】
【００３８】
【図１】本発明による電子システムが組み合わされる電子銀行取引用通信ネットワークの概略図である。
【図２】本発明による電子システムの端末装置に入力されたユーザーのデータからスタートする独特な賭けコードの生成を示すブロック図である。
【図３】電子システムの端末装置から行なわれる銀行操作及び初期の銀行操作の完了前に継続する本発明による賭けを図式化したフローチャートである。
【符号の説明】
【００３９】
２    中央処理装置
３    電子端末装置
４    通信チャンネル
５    賭け処理装置
２１    データベース
３１    磁気カードスキャナー
３２    キーパッド
３３    ボタン
３４    現金支払スロット
３５    ディスプレイ
５１    記憶装置
６１    時間
６２    日付
６３    操作の種類
６４    操作の可能な現金総額
６５    コード名
６６    取引番号
６７    部分的に独特なコード
６７′，６７″  コード
６８    ランダム化処理手順
６９    賭け処理手順
７０    データ
７１    挿入操作
７２    第１のテスト
７３    入場
７４    第２のテスト
７５    銀行操作
７６    第３のテスト
７７    賭けアルゴリズム
７７′  借方操作
７８    賭けテスト
７９    集金操作
８１，８１′  現金及び受取の受け渡し
【図１】
2004259257.tif 000003
【図２】
2004259257.tif 000004
【図３】
2004259257.tif 000005
【外国語明細書】
2004259257.tif 000006
2004259257.tif 000007
2004259257.tif 000008
2004259257.tif 000009
2004259257.tif 000010
2004259257.tif 000011
2004259257.tif 000012
2004259257.tif 000013
2004259257.tif 000014
2004259257.tif 000015
2004259257.tif 000016
2004259257.tif 000017
2004259257.tif 000018
2004259257.tif 000019
2004259257.tif 000020
2004259257.tif 000021
2004259257.tif 000022
2004259257.tif 000023
2004259257.tif 000024
2004259257.tif 000025